(57)【要約】【課題】被写体の顔全体を均一に照明させる。【解決手段】被写体の顔全体を収容し所定の空間が形成された筐体により、被写体の顔を撮影するために用いられる顔照明装置において、前記筐体の空間内における前記被写体の照射対象領域に対して、左右対称にそれぞれ複数設けられる光源と、前記光源から前記被写体に照射される光の照射位置に応じて透過率が異なるように設置される拡散部材と、前記拡散部材を通過した光が照射された前記被写体の顔全体を撮影可能な撮像手段とを有することにより、上記課題を解決する。【選択図】図１
2010097126.tif 000002
【特許請求の範囲】
【請求項１】
被写体の顔全体を収容し所定の空間が形成された筐体により、前記被写体の顔を撮影するために用いられる顔照明装置において、
前記筐体の空間内における前記被写体の照射対象領域に対して、左右対称にそれぞれ複数設けられる光源と、
前記光源から前記被写体に照射される光の照射位置に応じて透過率が異なるように設置される拡散部材と、
前記拡散部材を通過した光が照射された前記被写体の顔全体を撮影可能な撮像手段とを有することを特徴とする顔照明装置。
【請求項２】
前記拡散部材は、
透過率の異なる２枚の部材を重ね合わせて形成されることを特徴とする請求項１に記載の顔照明装置。
【請求項３】
前記拡散部材は、
前記透過率の異なる２枚の部材のうち、光源に近い方の部材の透過率をもう一方の部材の透過率より低くすることを特徴とする請求項２に記載の顔照明装置。
【請求項４】
前記拡散部材は、
透過率の高い部材を所定の位置で折り曲げ、折曲領域を形成することを特徴とする請求項３に記載に顔照明装置。
【請求項５】
前記拡散部材は、
前記被写体の顎周辺に照射される前記光源からの光と、他の部分に照射される前記光源からの光との透過率を異ならせるように設置されることを特徴とする請求項１に記載の顔照明装置。
【請求項６】
前記請求項１乃至請求項５の何れか１項に記載の顔照明装置を用いて、前記被写体の顔に光源からの光が照射された状態で撮影された画像を取得し、肌及び唇の測色を行う測色装置において、
前記画像を解析して前記被写体の顔の測色部位を抽出する画像解析手段と、
前記画像解析手段により得られた解析結果から、少なくとも肌及び唇の測色を行う測色手段とを有することを特徴とする測色装置。
【発明の詳細な説明】
【技術分野】
【０００１】
本発明は、顔照明装置及び該顔照明装置を用いた測色装置に係り、特に被写体の顔全体を均一に照明させるための顔照明装置及び該顔照明装置を用いた測色装置に関する。
【背景技術】
【０００２】
従来、被写体の顔や肌、毛髪、唇、睫、眉等を化粧品又はケア製品を人体のそれらの部分に塗る前後において、その色や起伏、均一性を評価するための顔画像を取得するための装置が存在している（例えば、特許文献１参照。）。
【０００３】
また、美容カウンセリング等を行う場合において、被写体の顔をカメラで撮影し、その画像を元に顔の輪郭、凹凸、肌の色等を評価する評価システムが存在している（例えば、特許文献２参照。）。
【０００４】
この場合、上述したような肌等の評価等に用いられる画像を取得するために、被写体の顔等に最適な照明環境を提供するために顔全体や体全体を筐体やエンクロージャー等により被写体の顔を覆い、その内部で光源を照射している。
【特許文献１】特開２００３−１６２７１２号公報
【特許文献２】特開２００４−２５１７５０号公報
【発明の開示】
【発明が解決しようとする課題】
【０００５】
しかしながら、上述の構成では、例えば、被験者の顎付近や顔の骨格、曲面の違い等により肌表面に対して均一な光が照射されていなかった。そのため肌表面が持つ色情報を正確に観察、撮影することができなかった。本発明は、上述した課題に鑑みてなされたものであって、被写体の顔全体を均一に照明させるための顔照明装置及び該顔照明装置を用いた測色装置を提供することを目的とする。
【課題を解決するための手段】
【０００６】
上述した課題を解決するために、本件発明は、以下の特徴を有する課題を解決するための手段を採用している。
【０００７】
請求項１に記載された発明は、被写体の顔全体を収容し所定の空間が形成された筐体により、前記被写体の顔を撮影するために用いられる顔照明装置において、前記筐体の空間内における前記被写体の照射対象領域に対して、左右対称にそれぞれ複数設けられる光源と、前記光源から前記被写体に照射される光の照射位置に応じて透過率が異なるように設置される拡散部材と、前記拡散部材を通過した光が照射された前記被写体の顔全体を撮影可能な撮像手段とを有することを特徴とする。
【０００８】
請求項１記載の発明によれば、被写体の顔全体を均一に照明させることができる。これにより、撮影された画像から、肌表面等における色情報を高精度に取得することができる。また、被写体の肌及び唇の色の評価等に用いられる画像を高精度に撮影して、測色することができる。したがって、被写体の肌及び唇の色の評価等に用いられる画像を高精度に撮影して、測色することができる。また、光源の位置により顔全体に影を生じさせずに、色計測を行うことができる。
【０００９】
請求項２に記載された発明は、前記拡散部材は、透過率の異なる２枚の部材を重ね合わせて形成されることを特徴とする。
【００１０】
請求項２記載の発明によれば、簡単な構成で、光源からの光を被写体の照射位置に応じて変更して適切な光を照射することができる。これにより、より均一に光源からの光を照射することができる。
【００１１】
請求項３に記載された発明は、前記拡散部材は、前記２枚の部材のうち、光源に近い方の部材の透過率をもう一方の部材の透過率より低くすることを特徴とする。
【００１２】
請求項３記載の発明によれば、簡単な構成で、光源からの光を被写体の照射位置に応じて変更して適切な光を照射することができる。これにより、より均一に光源からの光を照射することができる。
【００１３】
請求項４に記載された発明は、前記拡散部材は、透過率の高い部材を所定の位置で折り曲げ、折曲領域を形成することを特徴とする。
【００１４】
請求項４記載の発明によれば、光源から得られる拡散光を効率的に被写体の顔に均一に照射することができる。
【００１５】
請求項５に記載された発明は、前記拡散部材は、前記被写体の顎周辺に照射される前記光源からの光と、他の部分に照射される前記光源からの光との透過率を異ならせるように設置されることを特徴とする。
【００１６】
請求項５記載の発明によれば、より均一に光源からの光を照射することができる。
【００１７】
請求項６に記載された発明は、前記請求項１乃至請求項５の何れか１項に記載の顔照明装置を用いて、前記被写体の顔に光源からの光が照射された状態で撮影された画像を取得し、肌及び唇の測色を行う測色装置において、前記画像を解析して前記被写体の顔の測色部位を抽出する画像解析手段と、前記画像解析手段により得られた解析結果から、少なくとも肌及び唇の測色を行う測色手段とを有することを特徴とする。
【００１８】
請求項６記載の発明によれば、被写体の顔全体を均一に照明させることができる。これにより、撮影された画像から、肌表面等における色情報を高精度に取得することができる。また、被写体の肌及び唇の色の評価等に用いられる画像を高精度に撮影して、測色することができる。したがって、例えば顔の自動認識や化粧くずれの評価法等を提供することができる。
【発明の効果】
【００１９】
本発明によれば、被写体の顔全体を均一に照明させることができる。これにより、撮影された画像から、肌表面等における色情報を高精度に取得することができる。
【発明を実施するための最良の形態】
【００２０】
＜本発明の概要＞
例えば、照明部において、顔全体を均一に照明することで、艶や影をなくし、肌表面が持つ色情報を正確に観察、撮影できるようにする。
【００２１】
具体的には、顔の正面又は左顔、又は右顔に垂直な面に対し、左右それぞれ顔正面から所定の角度に１又は複数の光源を配置する。また、光源から被験者の間に高透過率及び低透過率を有する光を拡散する拡散部材を設置する。したがって、これらの光源から上述した２種類の拡散部材を通過させて、被写体に照射される位置に応じて光を拡散させることで、光源をより均一に顔全体に照射させることができる。
【００２２】
以下に、本発明における顔照明装置及び該顔照明装置を用いた測色装置を好適に実施した形態について、図面を用いて説明する。
【００２３】
＜顔照明装置：概略構成例＞
本実施形態における顔照明装置の概略構成例について図を用いて説明する。図１は、本実施形態における肌測色装置の概略構成の一例を示す図である。図１に示す肌測色装置１０は、大略すると、顔照明装置としての顔照明装置１１と、測色処理装置１２とを有するよう構成されており、顔照明装置１１と、測色処理装置１２とは、ケーブル等を有して、データ及び制御信号の送受信が可能な状態で接続されている。
【００２４】
顔照明装置１１は、被写体の顔を筐体２０に予め設けられた顎台２１−１〜２１−３の何れかにセットし、筐体２０内に照射される後述する所定の光源により顔全体（正面、左右側面）に均一になるように照明を当てて、その画像をカメラ等の撮像手段２２により筐体の所定の位置に設けられた開口部２３によりカメラのレンズ２４を位置付けて、被写体の顔を撮影する。
【００２５】
なお、このとき、被写体の左右にセットされた光源からの光を拡散する拡散部材２５−１，２５−２により光源からの光を拡散し、拡散された照明を被写体の顔に照射して顔全体に均一の照明を行う。なお、拡散部材２５−１，２５−２は、それぞれ高透過率及び低透過率を有する光を拡散する拡散部材が重ね合わさるように設置されている。このように、２枚の拡散部材を重ね合わせることにより、拡散部材間の拡散の誤差、つまり、拡散部材間に空間を設けることによる表面反射による光の損失等を防止することができ、効率的に明るい光を照射させることができる。なお、上述した拡散部材は、新たに専用の拡散部材を作成する必要がなく、簡易に本装置を構成することができる。
【００２６】
また、測色処理装置１２は、顔照明装置１１から得られる被写体の画像から予め設定された評価手法を用いて、被写体の肌及び唇、又はその他の部位についての測色を行い、肌の色、ツヤ、凹凸、ハリ等の評価を行う。なお、測色の評価としては、例えば対象物の分光反射率を測定するために、例えばウイナー推定法、マルコフ推定法、及び主成分を基にした推定法のうち、少なくとも１つを用いて、分光分布の推定を行うことができる。なお、測色処理装置１２は、汎用的なパーソナルコンピュータ等を用いて本実施形態における測色処理を実現することができる。測色処理装置１２における処理の具体例については、後述する。
【００２７】
＜顔照明装置１１＞
次に、顔照明装置１１の具体例について図を用いて説明する。図２は、図１に示す顔照明装置の内部構成を上から見た図である。なお、図２（Ａ）は、顔照明装置１１における撮影時の被写体向きを明確にした図を示し、図２（Ｂ）は、顔照明装置１１における被写体の顎台及び額当ての配置を明確にした図を示している。また、以下に示す本実施形態における顔照明装置１１の幅Ｗは約５００〜７００ｍｍ程度とし、奥行きＤは約３００〜５００ｍｍ程度として説明するが、本発明においてはこれに限定されるものではない。
【００２８】
ここで、被写体３０が筐体２０内に顔をセットする場合に、顔の両側には、被写体３０の顔の左右対称に均一の光源を照射するための光源３１を少なくとも１つ有している。
【００２９】
なお、図２の例では、左右にそれぞれ３個ずつ、合成６個の光源３１−１〜３１−６を有している。また、各光源３１―１〜３１−６からの照明が効率的に被写体側に向かうように、高反射率を有する反射部材（反射板）３２−１，３２−２を有している。
なお、この反射部材３１−１，３１−２は、拡散部材２５（２５−１ａ，２５−１ｂ，２５−２ａ，２５−２ｂ）の被写体の位置と略平行に設置されることが好ましい。これにより、反射部材３１−１，３１−２からの光を高精度に被写体側で照射させることができる。
なお、反射部材３１としては、例えば、銀面、アルミ特殊合金電解研磨面、ガラス鏡面（アルミ合金）、水銀、金、白金、銅等の正反射性材料や、炭酸マグネシウム、硫酸バリウム、酸化アルミ、白色ペイント、エナメル、白紙、白色タイル等を使用することができる。
【００３０】
また、図２（Ａ），（Ｂ）において、拡散部材２５の位置は、被写体が正面を向いた位置とカメラ２２のレンズ２４との設置位置を基準として所定の角度に設置されていることが好ましい。
【００３１】
例えば、図２（Ａ），（Ｂ）に示すように、左右にそれぞれ３台ずつ合計６個の光源３１−１〜３１−６が設けられている場合、カメラ２２のレンズ２４と被写体の中心の線から角度θ１，θ２，θ３となるように設置し、更に左右対称に設置することができる。なお、角度θ１は約１５〜２０度程度がよく、約１７度程度が好ましい。また、角度θ２は約４０〜５０度程度がよく、約４５度程度が好ましい。更に、角度θ３は約８０〜９０度程度がよく、８５度程度が好ましい。
【００３２】
また、図２に示すように拡散部材２５は、光源３１のから照射された光が最初に高透過率の拡散部材２５−１ａ，２５−２ａを通過し、その後、低透過率の拡散部材２５−１ｂ，２５−２ｂを通過し、被写体３０に照射されるように、２種類の透過率を有する反射部材が重ね合わさるようにして設置されている。
【００３３】
なお、左右の高透過率の拡散部材２５−１ｂ，２５−２ｂには、被写体３０の顎付近に照射する光を均一にするために、所定の位置から被写体方向に折り曲げた折曲領域３３−１，３３−２を設ける。この構成は、容易に形成することができ、これにより被写体の顎付近に照射される光源３０からの光は、低透過率の拡散部材を通過しないものも含まれるため、影のできやすい領域に強めの光を照射させることができるため、顔全体に均一の光を照射させることができる。なお、高透過率の拡散部材２５−１ａ，２５−２ａ及び低透過率の拡散部材２５−１ｂ、２５−２ｂについては、後述する。
【００３４】
また、図２において、拡散部材２５は、カメラ２２のレンズ２４側から被写体３０に向かって所定の位置まで真っ直ぐに設置した後、所定の角度θ４を有するように被写体３０から離れる方向に傾きを設けて設置する。なお、角度θ４は、例えば約１４０〜１６０度程度がよく、特に約１５０度程度が好ましい。
【００３５】
なお、被写体３０が顔のセットするために、図２に示すように顎台２０−１〜２０−３が設置されており、また、被写体３０の額を当てるための額当て３４−１〜３４−３を有している。なお、顎台２０−２，２０−３と、額当て３４−２，３４−４との位置関係は、例えばカメラ２２のレンズ２４と、被写体との中心に対して左右対象に角度θ５を有するよう設置されている。ここで、角度θ５は約３０〜６０程度がよく、特に約４５度程度が好ましい。なお、顎台２０−２，２０−３及び額当て３４−３，３４−３の各角度は、上述した位置の他にも設定することができる。また、顎台２０及び額当てを移動可能な構成にしてもよい。
【００３６】
これにより、図２（Ａ）に示すように被写体３０の所定の角度の側面顔を正確且つ容易に撮影することができる。また、側面顔に対しても高精度な顔画像を生成することができる。なお、図２においては、筐体２０の被写体３０が顔をセットする方向については、湾曲部３５を有している。これにより、被写体３０をより筐体２０内部で顔設定することができ、被写体の顔に均一に光源からの光を照射することができる。
【００３７】
ここで、図３は、被写体から見た顔照明装置の概要図を示す図である。図３に示すように光源３０−１〜３０−６は、被写体から見て所定の角度に設定されている。なお，光源３０は、例えば蛍光灯等を使用することができ、円筒形のものや、円筒がＵ字型になっているもの、球形のもの等、市販されている蛍光灯を使用することができる。また、光源３０−１〜３０−６は、縦に限定されず横に配列されていてもよい。
【００３８】
また、本発明における光源の種類はこれに限定されるものではなく、例えばハロゲンランプを使用することができ、また、白熱電球・ハロゲン電球等の温度照射光源や、高圧水銀ランプ、セルフバラスト水銀ランプ、メタルハライドランプ、高圧ナトリウムランプ等の高圧放電ランプ（放電発光光源）、蛍光ランプ、低圧ナトリウムランプ等の定圧放電ランプ（放電発光光源）、ＥＬ（Ｅｌｅｃｔｒｏ  Ｌｕｍｉｎｅｓｃｅｎｃｅ）、ＬＥＤ（Ｌｉｇｈｔ  Ｅｍｉｔｔｉｎｇ  Ｄｉｏｄｅ）等の電界発光光源等を用いることができる。
【００３９】
また、ハロゲンについては、例えばハロゲンランプや、両口金型ハロゲン、ＰＡＲランプ、ダイクロイックミラー等を代用することができる。また、蛍光ランプについては、一般照明用ランプやレフランプ、クリプトンランプ、水銀ランプ、バラストレス水銀ランプ（チョークレス）、高圧ナトリウムランプ、メタルハライドランプ、ＨＱＩランプ等に代用することができる。
【００４０】
また、例えば光源３０の数は、少なくとも１つ有していればよい（図１及び２の場合は、顔の左右に２つ）。なお、光源の設置位置については、照射による被写体の顔の影の位置等により異なるため、調整する必要がある。
【００４１】
また、額当て３４については、筐体２０の上部からパイプ等のような棒状の部材により所定の位置で保持されるように吊して設定されているが、本発明においてはこの限りではなく、例えば筐体の下から所定の位置で設定されるようにしてもよく、上下左右に自在に移動可能な伸縮可能な構成にしてもよい。
【００４２】
また、拡散部材２５−１ｂ，２５−２ｂにおいて、折曲領域３３−１，３３−２は、所定の角度θ６により所定の位置になるように折り曲げられている。なお、角度θ６は、約３５〜４０度程度がよく、特に３８度が好ましい。
【００４３】
また、拡散部材２５−１ｂ，２５−２ｂにより折曲領域３３−１，３３−２を形成することにより得られる筐体２０の下からの高さｈは、約１．５〜２．０ｃｍがよく、特に約１．７ｃｍが好ましい。
【００４４】
また、カメラ２２のレンズ２４がセットされる開口部２３の位置は、被写体３０の正面方向に縦ｌＯ、横ｗＯ、高さｈＯの位置に設定される。このとき、縦ｌＯは約１３０〜１５０ｍｍ程度がよく、特に１４０ｍｍ程度が好ましい。また、横ｗＯは約１００〜１２０ｍｍ程度がよく、特に約１１０ｍｍ程度が好ましい。更に、高さｈＯは約３０〜５０ｍｍ程度がよく、特に約４０ｍｍ程度が好ましい。なお、開口部の大きさは、本発明においては、上述した大きさに限定されず、筐体２０の大きさやカメラ２２のレンズ２４の大きさ等により任意に設定することができる。
【００４５】
＜拡散部材２５の形状について＞
次に、本実施形態における拡散部材について説明する。図４は、拡散部材の形状について説明するための一例を示す図である。図４（Ａ），（Ｂ）に示す拡散部材２５は、高透過率の拡散部材２５−１ａ及び低透過率の拡散部材２５−１ｂが示されている。
【００４６】
ここで、上述した高透過率の拡散部材２５−１ａ（及び２５−２ａ）としては、透明又は半透明のアクリル製やガラス製等の拡散部材を使用することができ、低透過率の拡散部材２５−１ｂ（及び２５−２ｂ）としては、不透明のアクリル製やガラス製等の拡散部材を使用することができる。
【００４７】
ここで、図５は、拡散部材の分光透過率の一例を示す図である。図５において、横軸は波長（ｎｍ）を示し、縦軸は透過率（％）を示している。図５に示すように、高透過率を有する拡散部材２５−１ａ，２５−２ａは、光源の波長が約４５０〜７５０ｎｍ程度の間で、約５０〜６５％程度の透過率を有しているものが好ましい。更に、低透過率を有する拡散部材２５−１ｂ、２５−２ｂは、光源の波長が４５０〜７５０ｎｍ程度の間で、約７〜１５％程度の透過率を有しているものが好ましい。したがって、光源も波長が約４５０〜７５０ｎｍ程度のものが照射されるような光源が好ましい。また、図４における折り曲げる幅Ｗ２は、約５〜１０ｃｍ程度がよく、特に約８ｃｍ程度が好ましい。
【００４８】
なお、本実施形態では、図５に示すような透過率を有しているものであれば、上述した材質以外の材質であってもよい。また、本実施形態では、高透過率の拡散部材と、低透過率の拡散部材とを重ね合わせているため、光源から２種類の拡散部材を通過して被写体３０に照射される。
【００４９】
更に、図４（Ａ）では、上述した実施形態に対応した折曲領域３３−１が形成されているが、図４（Ｂ）では、更に上述した折曲領域３３−１に対して、更に第２の折曲領域４１を有している。これは、左右対称の折曲領域３３−２についても同じように対象的に折り曲げられている。これは、カメラ２２による被写体の撮影をする際に、画像に含まれてしまうことを防止するためである。
【００５０】
なお、拡散部材２５は、板状に形成されているため、容易に形成することができる。なお、拡散部材２５の形状については、本発明においてはこの限りではなく、例えば被写体３０に対して湾曲するように設定されていてもよい。
【００５１】
上述したように、顔照明装置１１により、顔全体を均一に照明することで艶や影をなくし、肌表面が持つ色情報を正確に観察、撮影できるようにすることができる。
【００５２】
具体的には、上述したように、顔の正面顔、左顔、又は右顔に垂直な面に対し、左右それぞれ約１７度、約４５度、約８５度の位置にある計６本の蛍光灯を配置し、高透過率（半透明）のアクリル製拡散板と低透過率（不透明に近い）のアクリル拡散板を通すことで光を拡散させ顔全体を均一に照明する。
【００５３】
また、低透過率拡散板は、上述したように底面から約１．７ｃｍ程度の隙間ができるように下端から約８ｃｍ程度の位置で約３８度に折り曲げられている。なお、観察、撮影の際に邪魔にならないように、図４（Ｂ）に示すように折り曲げた部分（第２の折り曲げ領域４１）を更に有してもよく、第２の折り曲げ領域４１を切除してもよい。
これにより、拡散光を適切な位置に照射させることで、被写体の肌及び唇の色の評価等に用いられる画像を高精度に撮影することができる。
【００５４】
＜測色処理装置１２：機能構成例＞
次に、本実施形態における測色処理装置における実施形態について図を用いて説明する。図６は、本実施形態における測色処理装置の機能構成の一例を示す図である。図６に示す測色処理装置１２は、入力手段５１と、出力手段５２と、蓄積手段５３と、撮影画像取得手段５４と、画像解析手段５５と、測色手段５６と、制御手段５７とを有するよう構成されている。
【００５５】
入力手段５１は、使用者等からの画像取得指示や画像解析指示、評価指示等の各種指示の開始／終了等の入力を受け付ける。なお、入力手段５１は、例えばキーボードや、マウス等のポインティングデバイス等からなる。また、入力手段５１は、デジタルカメラ等の撮像手段等により撮影された被写体の撮像部分を含む画像を入力する機能も有する。
【００５６】
また、出力手段５２は、入力手段５１により入力された内容や、入力内容に基づいて実行された内容等の表示・出力を行う。なお、出力手段５２は、ディスプレイやスピーカ等からなる。更に、出力手段５２としてプリンタ等の機能を有していてもよく、その場合には、画像解析結果等を紙等の印刷媒体に印刷して、使用者や被写体等に提供することもできる。
【００５７】
なお、入力手段５１と出力手段５２とは、例えばタッチパネル等のように一体型の入出力手段であってもよく、この場合には使用者の指やペン型の入力装置等を用いて所定の位置をタッチして入力を行うことができる。
【００５８】
また、蓄積手段５３は、撮影画像取得手段５４により得られる撮影画像、画像解析手段５５により画像解析結果、測色手段５６による評価結果等による各画像情報等の各種データを蓄積する。また、蓄積手段５３は、必要に応じて蓄積されている各種データを読み出すことができる。
【００５９】
また、撮影画像取得手段５４は、顔照明装置１１においてカメラ２２により撮影された被写体の顔画像を取得する。なお、撮影画像取得手段５４は、顔照明装置１１により被写体の顔を撮影する際に、撮影する画像の内容に応じて、例えば使用する光源の種類や位置、数等を設定することができる。更に、撮影画像取得手段５４は、顔照明装置１１のカメラ２２に対し、例えばレンズ２４と被写体との間やレンズ２４内に着脱或いは切り替え自在に設けられる色フィルタの有り、又は、無しの各状態において、被写体を撮影するために、その指示情報を生成し、顔照明装置１１に出力する。
【００６０】
画像解析手段５５は、解析された結果に基づいて被写体の各部位（肌、唇、頬、額、瞼、目の下、目の周り、耳、目、口等）を画像中から特定する作業を行う。ここで、画像解析手段５５における各部位の位置情報を取得する方法は、例えば画像の色情報とその色の位置情報から各部位を識別するような画像処理を行ってもよいが、本実施形態においてはこれに限定されるものではなく、例えば各画素レベルの周囲との色差情報等に基づいて画像解析を行い、その解析結果から部位を特定するような手法を用いて予め設定された画像中の被写体の顔の各部位を抽出するようにしてもよい。
【００６１】
また、測色手段５６は、画像解析手段５５により得られる画像の解析結果に基づいて、目的とする被写体の各部位の測色を行う。なお、測色手段５６は、少なくとも被写体の肌及び唇の測色を行う。また、測色手段５６は、例えば肌、唇色の測定の他にも、例えばメラニン濃度・ヘモグロビン量、ヘモグロビン酸素飽和度の出力、スペクトルの表示等の評価を行うことができる。また、測色手段５６は、推定式を作成するためのサンプルデータの収集や、上述のデータを用いた色値の算出等を行うことができる。
【００６２】
ここで、測色手段５６は、上述した各処理を行うにあたり、画像解析手段５５により得られる画像から分光特性による評価を行う。なお、測色手段５６の具体例については、後述する。
【００６３】
また、制御手段５７は、測色処理装置１２の各構成部全体の制御を行う。具体的には、制御手段５７は、例えば使用者等による入力手段５１からの指示等に基づいて、画像解析処理や測色処理等の各制御を行う。
【００６４】
＜観察、測定による測色について＞
次に、測色手段５６の具体例について説明する。本実施形態における肌測色装置１０は、観察・測定用窓である開口部２３を通し、人が観察又は色彩計やデジタルカメラ２２といった測定器を用いて測定する。なお、デジタルカメラで肌色の測定をする際は、例えば、特開２００３−２４２８３号公報に記載されているような公知の手法を用いてカメラ２２を較正し、Ｌ＊ａ＊ｂ＊値やＨＶＣ等、様々な色彩値を取得することができる。
【００６５】
このとき、照明やカメラの経年変化を補正するために明るい肌色色票と暗い肌色色票の２色を同時に撮影し、これらの色彩値が常に同じ値となるよう各画像を補正することもできる。
【００６６】
具体的には、例えばある色彩値、例えばＲに対し、明るい肌色色票、暗い肌色色票の基準の値がそれぞれＲＬ、ＲＤ、撮影したときの値がそれぞれＲＬ'、ＲＤ'のとき、任意の色Ｓの値ＲＳ'の補正値ＲＳ'を以下の式（２点による線形補正）により求める。
【００６７】
ＲＳ＝（ＲＬ−ＲＤ）／（ＲＬ'−ＲＤ'）（ＲＳ'−ＲＬ'）＋ＲＬ
（以下、Ｒ以外のＧ，Ｂ，Ｈ，Ｖ，Ｃ，Ｌ＊，ａ＊，ｂ＊等においても同様）
＜測定結果＞
次に、解析により得られる測色結果について説明する。図７は、本実施形態における測色結果の一例を示す図である。測色手段５６で測色するために、デジタルカメラを用いた場合、従来手法により任意の指定範囲の平均色彩値、その分散や標準偏差、ヒストグラム等の統計量を算出することができる。また、予め対象とする色彩値の範囲、及びそれに対応する擬似色彩を設定しておき、各画素の色彩値が設定した範囲のどれに入るかによって対応する擬似色彩にて着色し、その色彩値の分布を視覚的に表現する。
【００６８】
つまり、図７に示すように、例えば明度Ｌ＊を２毎に区切りそれぞれに色を当て嵌めて、該当する画素をその色で着色を行って上述した出力手段５２等によりユーザに表示することでき、明度分布を視覚的に認識することができる。このとき、本実施形態を適用することで、この照明の均一性を肌色部がＬ＊＝７１の均一な色であるメーキャップドールにて確認すると、顔の主要部の明度Ｌ＊が７１以上７３未満の範囲に収まっており、実用に十分な均一性であることがわかる。
【００６９】
上述したように、本発明によれば、被写体の肌及び唇の色の評価等に用いられる画像を高精度に撮影して、測色することができる。また、筐体を球状とすることで、顔全体に均一で柔らかい光を照射することができる。更に、光源の位置により顔全体に影を生じさせずに色計測を行うことができる。
【００７０】
具体的には、本発明における顔照明装置を用いることで、効率的に均一な光を顔面の所定部位に照射することができ、より肌の色の評価、凹凸の記録等の個々の撮影目的に適した画像を撮るために最適な照明環境を、簡便な装置構成で、安定的に繰り返し実現することができる。これにより、例えば顔の自動認識や化粧くずれの評価法等を提供することができる。
【００７１】
なお、本発明における手法を適用し、例えばカメラにマルチセンサー等を用いることで、病変部の分光的特徴であるシミや皮膚炎、にきびの状態等、患部の特徴を強調して表示することができる。また、病変の状態の定量化、治療効果の評価、客への説明資料等、医療分野への応用（患部の色計測）も期待できる。
【００７２】
以上本発明の好ましい実施例について詳述したが、本発明は係る特定の実施形態に限定されるものではなく、特許請求の範囲に記載された本発明の要旨の範囲内において、種々の変形、変更が可能である。
【図面の簡単な説明】
【００７３】
【図１】本実施形態における肌測色装置の概略構成の一例を示す図である。
【図２】図１に示す顔照明装置の内部構成を上から見た図である。
【図３】被写体から見た顔照明装置の概要図を示す図である。
【図４】拡散部材の形状について説明するための一例を示す図である。
【図５】拡散部材の分光透過率の一例を示す図である。
【図６】本実施形態における測色処理装置の機能構成の一例を示す図である。
【図７】本実施形態における測色結果の一例を示す図である。
【符号の説明】
【００７４】
１０  肌測色装置
１１  顔照明装置
１２  測色処理装置
２０  筐体
２１  顎台
２２  撮像手段
２３  開口部
２４  レンズ
２５  拡散部材
３０  被写体
３１  光源
３２  反射部材
３３,４１  折曲領域
３４  額当て
５１  入力手段
５２  出力手段
５３  蓄積手段
５４  撮影画像取得手段
５５  画像解析手段
５６  測色手段
５７  制御手段
【図１】
2010097126.tif 000003
【図２】
2010097126.tif 000004
【図３】
2010097126.tif 000005
【図４】
2010097126.tif 000006
【図５】
2010097126.tif 000007
【図６】
2010097126.tif 000008
【図７】
2010097126.tif 000009